(57)【要約】【課題】屋内に備えられ、火災を自動的に消火する自動消火用室内装備品を提供する。【解決手段】天板２１０上に発火物２３０を載置する載置台２００には、内部に消火薬剤が封入された外枠消火スティック１０１が天板２１０の内周に沿って配設されるとともに、内部に消火薬剤が封入された桟消火スティック１０２が外枠消火スティック１０１の長手方向にほぼ垂直に横架されて配設される。【選択図】　図２
2004033384.tif 000002
【特許請求の範囲】
【請求項１】
屋内に備えられ、火災を自動的に消火する消火用室内装備品であって、
ろうそくなどの発火物が載置される天板を含み、金属などの不燃性材料を骨材として形成される載置台には、前記天板内に、内部に消火薬剤が封入されたスティック状を呈する消火スティックが配設されている特徴とする自動消火用室内装備品。
【請求項２】
前記消火スティックは、前記天板の内周辺に沿って配置される外枠消火スティックと、前記外枠消火スティックの長手方向とほぼ垂直に横架される少なくとも２以上の桟消火スティックとを備えていることを特徴とする請求項１記載の自動消火用室内装備品。
【請求項３】
屋内に備えられ、火災を自動的に消火する消火用室内装備品であって、
室内の壁などに配設されるコンセントには、内部に消火薬剤が封入されたスティック状を呈する消火スティックが配設されていることを特徴とする自動消火用室内装備品。
【請求項４】
前記消火スティックは、前記コンセントの前面カバーに取り付けられるカバー用消火スティックと、電気コードのプラグが挿脱されるコンセント部の所定位置に取り付けられるコンセント部用消火スティックの少なくとも１つを備えていることを特徴とする請求項３記載の自動消火用室内装備品。
【請求項５】
屋内に備えられ、火災を自動的に消火する消火用室内装備品であって、
電源タップとしてのケーブルコンセントには、内部に消火薬剤が封入されたスティック状を呈する消火スティックが配設されていることを特徴とする自動消火用室内装備品。
【請求項６】
前記消火スティックは、前記ケーブルコンセントのケース上面に取り付けられる上面消火スティックと、前記ケース内部に取り付けられる内部消火スティックの少なくとも１つを備えていることを特徴とする請求項５記載の自動消火用室内装備品。
【請求項７】
屋内に備えられ、火災を自動的に消火する消火用室内装備品であって、
綿などのクッション部を布などのカバーで被覆してなる座布団内には、内部に消火薬剤が封入されたスティック状を呈する消火スティックが設けられていることを特徴とする自動消火用室内装備品。
【請求項８】
前記消火スティックが、前記クッション部内で前記カバーの表裏面に対して所定の傾斜角度を有して配置されていることを特徴とする請求項７に記載の自動消火用室内装備品。
【請求項９】
屋内に備えられ、火災を自動的に消火する消火用室内装備品であって、
木製ひごなどの棒状体を編み込んで形成される敷物には、内部に消火薬剤が封入されており、前記棒状体とほぼ同一形状を呈する消火スティックが、前記棒状体間に編み込まれることを特徴とする自動消火用室内装備品。
【請求項１０】
屋内に備えられ、火災を自動的に消火する消火用室内装備品であって、
花などの装飾部が壁面などに懸下されるリースには、内部に消火薬剤が封入されたスティック状を呈する消火スティックが、前記装飾部の背面側を支持して備えられていることを特徴とする自動消火用室内装備品。
【請求項１１】
前記消火スティックは、合成樹脂材料からなる柔軟性を有するチューブ内に、前記消火薬剤が加圧封入されていることを特徴とする請求項１ないし１０のいずれか１項に記載の自動消火用室内装備品。
【請求項１２】
前記消火薬剤は、フッ素系ガスなどの不燃性液化ガスからなることを特徴とする請求項１ないし１１のいずれか１項に記載の自動消火用室内装備品。
【発明の詳細な説明】
【０００１】
【発明の属する技術分野】
本発明は自動消火用室内装備品に係り、特に詳しくは、複雑な機器を要せずとも火災を速やかに消火することができる初期消火に好適な自動消火用室内装備品に関する。
【０００２】
【従来の技術】
一般に、万一の火災発生時の備えとして、屋内外の適宜場所に消火器が設置され、火災発生時には、火災の火元に向け消火薬剤を噴射することによって火災の拡がりを抑えるようにしている。
【０００３】
また、最近では、火災発生を外部、あるいは、警備会社などへ通報することにより、速やかに消火活動が行われるよう、屋内の天井などに火災警報器を設置して火災の被害を最小限に抑えるようなシステムも提案されている。
【０００４】
【発明が解決しようとする課題】
しかし、消火器は、人手を介して使用されるものであり、家を留守にしている時には役に立たない。特に、寺社な集会場などの人の集まる場所では、燭台や煙草など火の気が多いにもかかわらず無人状態におかれることが多く、人手に頼る消火器では、火災発生時の備えとしては不十分である。
【０００５】
また、人手があったとしても、消火器は通常使用するものでないため、その操作の不慣れさから消火作業に手間取ることが多く、火災発生時から相当の時間を要して消火作業が間に合わないことがある。
【０００６】
さらに、消火器は一旦作動させると消火薬剤の噴射を途中で止めることができず、消火薬剤が火元以外の場所にも撒布され、家具などが使い物にならないなどの問題がある。
【０００７】
一方、火災警報器により火災を報知することはできても、報知されてから消防車などが到着するまでに相当の時間を要することもあり、火災への迅速な対応とは言い切れない。
【０００８】
したがって、本発明の課題は、人手を介さずとも、屋内に備えることにより火災を自動的に消火することができ、特に初期消火に好適な自動消火用室内装備品を提供することにある。
【０００９】
【課題を解決するための手段】
上記課題を解決するため、本願の第１発明は、屋内に備えられ、火災を自動的に消火する消火用室内装備品であって、ろうそくなどの発火物が載置される天板を含み、金属などの不燃性材料を骨材として形成される載置台には、天板内に、内部に消火薬剤が封入されたスティック状を呈する消火スティックが配設されていることを特徴としている。
【００１０】
本願の第１発明における消火スティックは、天板の内周辺に沿って配置される外枠消火スティックと、外枠消火スティックの長手方向とほぼ垂直に横架される少なくとも２以上の桟消火スティックとを備えて天板内に配設されることが好ましい。
【００１１】
本願の第２発明は、屋内に備えられ、火災を自動的に消火する消火用室内装備品であって、室内の壁などに配設されるコンセントには、内部に消火薬剤が封入されたスティック状を呈する消火スティックが配設されていることを特徴としている。
【００１２】
本願の第２発明における消火スティックは、コンセントの前面カバーに取り付けられるカバー用消火スティックと、電気コードのプラグが挿脱されるコンセント部の所定位置に取り付けられるコンセント部用消火スティックの少なくとも１つを備えてコンセントに配設されることが好ましい。
【００１３】
本願の第３発明は、屋内に備えられ、火災を自動的に消火する消火用室内装備品であって、電源タップとしてのケーブルコンセントには、内部に消火薬剤が封入されたスティック状を呈する消火スティックが配設されていることを特徴としている。
【００１４】
本願の第３発明における消火スティックは、ケーブルコンセントのケース上面に取り付けられる上面消火スティックと、ケース内部に取り付けられる内部消火スティックの少なくとも１つを備えてケーブルコンセントに配設されることが好ましい。
【００１５】
本願の第４発明は、屋内に備えられ、火災を自動的に消火する消火用室内装備品であって、綿などのクッション部を布などのカバーで被覆する座布団内には、内部に消火薬剤が封入されたスティック状を呈する消火スティックが設けられていることを特徴としている。
【００１６】
この場合において、前記座布団内に設けられる前記消火スティックは、前記座布団のクッション性を損なわないようにするため、前記クッション部内で前記カバーの表裏面に対して所定の傾斜角度を有して配置されていることが好ましい。
【００１７】
本願の第５発明は、屋内に備えられ、火災を自動的に消火する消火用室内装備品であって、木製ひごなどの棒状体を編み込んで形成される敷物には、内部に消火薬剤が封入されており、棒状体とほぼ同一形状を呈する消火スティックが、棒状体間に編み込まれることを特徴としている。
【００１８】
本願の第６発明は、屋内に備えられ、火災を自動的に消火する消火用室内装備品であって、花などの装飾部が壁面などに懸下されるリースには、内部に消火薬剤が封入されほぼスティック状を呈する消火スティックが、装飾部の背面側を支持して備えられていることを特徴としている。
【００１９】
前記第１ないし第６の発明において、消火スティックは、合成樹脂材料からなる柔軟性を有するチューブ内に消火薬剤が加圧封入されることにより形成され、また、消火薬剤は、フッ素系ガスなどの不燃性液化ガスからなることが好ましい。
【００２０】
【発明の実施の形態】
以下、図面を参照しながら、本発明の自動消火用室内装備品のいくつかの実施形態について説明する。
【００２１】
まず、図１（ａ）に本発明の自動消火用室内装備品に用いられる消火用スティック１０を示す。この消火用スティック１０は、ナイロンなどの合成樹脂材料でほぼスティック状に形成されるチューブ１１を有し、チューブ１１内には消火薬剤１２が加圧封入されている。チューブ１１は適度な柔軟性を有していることが好ましい。
【００２２】
消火薬剤１２は、例えばフッ素系ガスなどの不燃性液化ガスからなり、この例においては、チューブ１１内に１／３程度加圧封入されている。また、チューブ１１の両端部はヒートシール加工などで密封され、消火薬剤１２はチューブ１１内に気密状態で収納されている。
【００２３】
消火スティック１０は、火災などによる雰囲気温度の上昇により、チューブ１１内の内圧が上昇するとともに、消火薬剤（不燃性液化ガス）１２も加熱されるため、チューブ１１内の内圧がさらに上昇する。
【００２４】
この状態で、チューブ１１に例えば火炎が触れると、図１（ｂ）に示すように、チューブ１１が破裂し、内部の消火薬剤１２が外部に噴出する。なお、チューブ１１は破裂する際、「パチ」という大きな音を出すため、近くに人がいれば火災に気づく。
【００２５】
この例において、消火スティック１０は、チューブ１１にナイロン−６を用いることにより約７０℃で破裂するように設計されているが、チューブ１１の材質や膜厚あるいは消火薬剤１２の封入分量を変えることにより破裂温度の設計変更は可能である。
【００２６】
図２に本発明をろうそくの載置台２００に適用した第１実施形態を示す。図２（ａ）は載置台２００の平面図、図２（ｂ）はその側面図、図２（ｃ）は消火作用の説明図である。
【００２７】
この載置台２００は、１対の脚部２３０上に天板２１０が備えられ金属などの不燃性材料を骨材として形成される。天板２１０には、ろうそくなどの発火物２２０，２２０が載置される。
【００２８】
天板２１０には、その内周縁に沿って配設される外枠消火スティック１０１と、外枠消火スティック１０１の長手方向にほぼ垂直方向に横架される桟消火スティック１０２とが配設されている。
【００２９】
この場合、外枠消火スティック１０１と桟消火スティック１０２とは、図１（ａ）に示す消火用スティック１０と同一の構成からなり、天板２１０上に配設させることができる適宜の大きさに形成される。
【００３０】
外枠消火スティック１０１は、１対の長辺スティック１０１ａ，１０１ｂと、長辺スティック１０１ａ，１０１ｂの両端部間に横架される短辺スティック１０１ｃ，１０１ｄとでほぼ四角形状に形成されている。
【００３１】
図２（ａ）に示すように、外枠消火スティック１０１には、例えば４本の桟消火スティック１０２ａ，１０２ｂ，１０２ｃ，１０２ｄが横架されている。この場合、桟消火スティック１０２ａ，１０２ｄは、短辺スティック１０１ｃ，１０１ｄとの間のほぼ中央に、ろうそく２２０，２２０が位置するように配置されることが好ましい。
【００３２】
すなわち、ろうそく２２０の載置面２１１を囲むように各消火スティックを配置することが好ましい。また、このろうそく載置面２１１，２１１間を空間２１２として、その空間２１２上に桟スティック１０２ｂ，１０２ｃを横架することが好ましい。
【００３３】
次に、載置台２００の消火動作の一例について説明する。図２（ｂ）には、ろうそく２２０が着火された状態が示されている。また、図２（ｃ）には、何らかの原因によりろうそく２２０が転倒した場合の状態が示されている。
【００３４】
ろうそく２２０が火がついたまま天板２１０の内側に転倒したとすると、その転倒箇所に配設されている外枠消火スティック１０１あるいは桟消火スティック１０２が加熱される。
【００３５】
これにより、チューブ１１の内圧が上昇するとともに、チューブ１１が炎に晒され、ついにはチューブ１１が破裂に至り、内部の消火薬剤１２が外部に噴出する。したがって、噴出された消火薬剤１２によってろうそく２２０の炎が消火されることになる。
【００３６】
また、チューブ１１の破裂に伴い、外枠消火スティック１０１と桟消火スティック１０２は、それぞれ安定性が損なわれ、次々と空間２１２側へ傾倒してろうそく２２０とともに傾倒して落下する。
【００３７】
落下した外枠消火スティックあるいは桟消火スティックは、初期の段階で消火されなかったろうそく２２０の炎により加熱され、次々とチューブ１１が破裂し消火薬剤の噴出により、ろうそく２２０の炎を消火させることができる。
【００３８】
なお、この実施形態では、天板２１０の両端部にろうそく２２０の載置面２１１を設けているが、ろうそく載置面２１１の位置関係についてはこれに限られることはなく、消火スティック１０は、載置面２１１の位置関係に応じてその周囲に配設させてもよい。また、ろうそく２２０が倒れるにしても、天板２１０の内側に倒れるように、ろうそく載置面２１１に若干の傾斜を付けることが好ましい。
【００３９】
また、消火スティック１０はナイロンなどの柔軟性を有する合成樹脂材で形成されていることから、消火スティック１０を曲成して例えば円形の載置台にも適用させることもできる。
【００４０】
図３には、本発明を壁コンセント３００に適用した第２実施形態を示す。なお、図３（ａ）は壁コンセント３００の正面図、図３（ａ）は一部を断面とした平面図、図３（ｃ）は同じく一部を断面とした側面図である。
【００４１】
この壁面コンセント３００は、カバー３１０と、カバー３１０に固設されるコンセント部３２０と、ねじなどによりコンセント部３２０に装着されるコンセントボックス３３０とを備え、この構成自体は公知のものであってよい。
【００４２】
カバー３１０には、前面３１１の長手方向両側辺に沿って１対のカバー消火スティック１０３，１０３が配設されており、カバー消火スティック１０３，１０３は、それぞれその両端部において係止片３１２で止着されている。
【００４３】
コンセント部３２０には、図示しない配線ケーブルなどが接続される裏面側において、コンセント部消火スティック１０４が配設されている。
【００４４】
この例において、コンセント部消火スティック１０４は、コンセント部３２０の長手方向と平行に立設される一対の長辺スティック１０４ａ，１０４ａと、長辺スティック１０４ａ，１０４ａのそれぞれの両端部に横架される短辺スティック１０４ｂ，１０４ｂとでほぼ四角形状に形成されている。なお、コンセント部消火スティック１０４は、コンセントボックス３３０の内周縁側に沿って配設されてもよい。
【００４５】
このようにして、この壁コンセント３００には、壁面側に露出するカバー消火スティック１０３と、壁面内部側のコンセント部消火スティック１０４とが備えられる。なお、カバー消火スティック１０３およびコンセント部消火スティック１０４は、図１（ａ）の消火スティック１０と同一の構成とされ、それらの大きさを配設箇所に適合する適宜の大きさに形成したものである。
【００４６】
この壁コンセント３００によれば、例えば配線ケーブルの漏電火災もしくはごみや埃に起因するトラッキング火災が発生したとしても、カバー消火スティック１０３および／またはコンセント部消火スティック１０４のチューブ１１が破裂を引き起こし消火薬剤１２を噴出させ、コンセント周辺での火災を抑えることができる。
【００４７】
図４には、上記第２実施形態の変形例として、本発明を電源タップとしてのケーブルコンセント４００に適用した第３実施形態を示す。図４（ａ）はケーブルコンセント４００の平面図で、図４（ｂ）はその内部構造を示す図４（ａ）のＡ−Ａ線断面図である。
【００４８】
このケーブルコンセント４００は、図示しない電気ケーブルが接続される引込口４３０を有するケース４１０の上面４１１に、図示しない電源プラグが差し込まれるコンセント部４２０を有して構成され、この構成自体は公知のものであってよい。
【００４９】
ケース４１０の上面４１１には、その長手方向両側辺に沿って１対の上面消火スティック１０６，１０６が配設されており、上面消火スティック１０６，１０６は、それぞれその両端部を係止片４１２で止着されている。
【００５０】
また、図４（ｂ）に示すように、ケース４１０の内部において、コンセント部４２０にも内部消火スティック１０７が配設されている。なお、図４（ｂ）は図４（ａ）のＡ−Ａ線断面図であるため、１本の内部消火スティック１０７しか示されていないが、実際には上面消火スティック１０６，１０６と平行に２本の内部消火スティック１０７が設けられている。
【００５１】
これらの上面消火スティック１０６および内部消火スティック１０７についても、図１（ａ）の消火スティック１０と同一の構成とされ、配設場所に応じて適宜の大きさで形成される。
【００５２】
このケーブルコンセント４００においても、上記壁コンセント３００と同じく、例えば配線ケーブルの漏電火災もしくはごみや埃に起因するトラッキング火災が発生したとしても、上面消火スティック１０６および／または内部消火スティック１０７の内圧が上昇してチューブ１１の破裂とともに消火薬剤１２が噴出し、火災を消火させることができる。
【００５３】
図５には、本発明を座布団５００に適用した第４実施形態の断面を示す。この座布団５００は、布などのカバー５１０内に綿などのクッション部５２０を収納して形成されており、この構成自体は公知のものであってよい。
【００５４】
この座布団５００には、そのクッション部５２０内に、図１（ａ）に示す消火スティック１０と同一の構成とされるクッション消火スティック１０８が埋設されている。
【００５５】
この実施形態において、クッション消火スティック１０８は、カバー５１０の表面５１１と裏面５１２に対して所定の傾斜角および間隔を有して複数個（この例では１２個）埋め込まれている。
【００５６】
このように、クッション消火スティック１０８を、座布団５００上に人が座した場合にクッション部５２０の弾力性に倣って一定方向に傾倒できるように埋め込むことにより、着座時に違和感を生じさせないようにすることができる。なお、本発明には、座布団５００内にクッション消火スティック１０８を平面的に配置する場合も当然に含まれる。
【００５７】
次に、図６（ａ）の平面図およびその断面図である図６（ｂ）に、本発明を敷物６００に適用した第５実施形態を示す。この敷物６００は、木製ひごなどからなる複数本の棒状体６１０を互いに平行に配置して編み込んで形成したものである。
【００５８】
この敷物６００には、図１（ａ）に示す消火スティック１０を棒状体６１０とほぼ同じ長さで形成された敷物消火スティック１０９が、所定間隔をおいて棒状体６１０間に編み込まれて形成されている。
【００５９】
図７には、本発明をリース７００に適用した第６実施形態を示す。このリース７００は、花などのを模した装飾部７１０と、装飾部７１０を壁などに懸下するために装飾部７１０をその背面側において支持する消火フレーム１１０とを備えている。
【００６０】
消火フレーム１１０は、図１（ａ）に示す消火スティック１０と同一の構成とされ、所定の大きさで形成された消火スティック１０を例えば適宜の個数を組み合わせて曲成させることによりほぼ円形とされている。また、消火フレーム１１０は、リベット７２０によって装飾部７１０に止着される（図７（ｂ）参照）。
【００６１】
このように、本発明による座布団５００，敷物６００，リース７００は、いずれもチューブ１１内に気密状態で封入される消火薬剤１２を有する消火スティック１０を備えて所定の場所に装備される。
【００６２】
このため、煙草の不始末などによる床側からの火災は、加熱された座布団５００や敷物６００に配設されるクッション消火スティック１０８および敷物消火スティック１０９に封入された消火薬剤１２の噴出によって、消火することができる。
【００６３】
壁面側では、リース７００が加熱されることにより、リース７００に装着された消火フレーム１１０が破裂して消火薬剤１２を噴出させることができる。
【００６４】
また、リース７００については、火災が発生した箇所にリース７００を投げ込むことにより、チューブ１１を破裂させて火災を早期に鎮静させることができるほか、煙から逃げ道を確保することもできる。
【００６５】
このように、本発明の自動消火用室内装備品に係る載置台２００，壁コンセント３００，ケーブルコンセント４００，座布団５００，敷物６００およびリース７００を室内の適宜箇所に設置することで、人手に頼ることなく、火災発生時の早い段階で自動的に、かつ、速やかに消火することができる。
【００６６】
なお、座布団５００，敷物６００およびリース７００に配設されるクッション消火スティック１０８，敷物消火スティック１０９および消火フレーム１１０の配設箇所および個数は適宜選択されることはいうまでもない。
【００６７】
また、リース用消火フレーム１１０は、消火スティック１０を曲成してほぼ円形に形成しているが、装飾部７１０を壁面に装飾良く表出できる形状であれば、その形状に限定されることはない。
【００６８】
【発明の効果】
以上説明したように、本発明の自動消火用室内装備品によれば、本発明の自動消火用室内装備品を室内に設けることで、人気の少ない寺社などの人の集合場所だけでなく、家を留守にする場合でも、火災発生時の早い段階で自動的に、かつ、速やかに火災を消火することができる。
【図面の簡単な説明】
【図１】（ａ）は本発明の自動消火用室内装備品に用いられる消火スティックを示す正面図、（ｂ）は消火スティックが破裂した状態を示す模式図。
【図２】（ａ）は本発明の自動消火用室内装備品に係る載置台の平面図、（ｂ）はその側面図、（ｃ）は載置台の消火作用を説明するための模式図。
【図３】（ａ）は本発明の自動消火用室内装備品に係るコンセントの正面図、（ｂ）同コンセントを一部断面で示す平面図、（ｃ）は同じく同コンセントを一部断面で示す側面図。
【図４】（ａ）は本発明の自動消火用室内装備品に係るケーブルコンセントの平面図、（ｂ）はそのＡ−Ａ線に沿った断面図。
【図５】本発明の自動消火用室内装備品に係る座布団を示す断面図。
【図６】（ａ）は本発明の自動消火用室内装備品に係る敷物の平面図、（ｂ）はその側面図。
【図７】本発明の自動消火用室内装備品に係るリースの正面図、（ｂ）はその側面図。
【符号の説明】
１０　消火スティック
１１　チューブ
１２　消火薬剤
１０１　外枠消火スティック
１０２　桟消火スティック
１０３　カバー消火スティック
１０４　コンセント部消火スティック
１０５　ボックス消火スティック
１０６　上面消火スティック
１０７　内部消火スティック
１０８　クッション消火スティック
１０９　敷物消火スティック
１１０　消火フレーム
２００　載置台
３００　コンセント
４００　ケーブルコンセント（電源タップ）
５００　座布団
６００　敷物
７００　リース
【図１】
2004033384.tif 000003
【図２】
2004033384.tif 000004
【図３】
2004033384.tif 000005
【図４】
2004033384.tif 000006
【図５】
2004033384.tif 000007
【図６】
2004033384.tif 000008
【図７】
2004033384.tif 000009